(57)【要約】      （修正有）【課題】躯体側に対して間隙を存して設けられるマグサ部の補強部材を、現場において簡単に組立てることができる建築用シャッター装置を提供する。【解決手段】補強部材１７を、巻取りドラムの上方に配される第一補強体１７ａと、下方に配される第二補強体１７ｂと、該第一、第二補強体１７ａ、１７ｂの先端部に着脱自在で前後方向移動自在に設けられる第三補強体１７ｃとを備えたもので構成し、現場において第三補強体１７ｃを第一、第二補強体１７ａ、１７ｂに対して移動自在に組込むことで、補強部材１７の組付けを簡単に行うことができる。【選択図】図５
2019206841.tif 000002
【特許請求の範囲】
【請求項１】
前後方向に通過可能な開口部の開閉をするシャッターカーテンと、該シャッターカーテンの開閉案内をするガイドレールと、前記シャッターカーテンが巻装される巻取りドラムと、該巻取りドラムの左右各端部を支持するべく躯体側に取付けられる左右の支持ブラケットと、巻取りドラムから繰出されるシャッターカーテンの移動を許容するべく躯体側とのあいだに間隙を存する状態で左右支持ブラケット間に設けられるマグサ部とを備えて構成される建築用シャッター装置において、
前記マグサ部を補強するための補強部材を設けるにあたり、
該補強部材は、巻取りドラムの上方に配される状態で基端部が躯体側に支持される第一補強体と、巻取りドラムの下方に配される状態で基端部がマグサ部側に支持される第二補強体と、巻取りドラムの躯体側とは反対側に配される状態で前記第一、第二補強体の先端部に上下端部が前後方向移動自在かつ着脱自在に支持される第三補強体とを備えて構成されていることを特徴とする建築用シャッター装置。
【請求項２】
第一補強体は躯体側に対して前後方向移動自在に支持され、第二補強体はマグサ部側に対して前後方向移動自在に支持されていることを特徴とする請求項１記載の建築用シャッター装置。
【請求項３】
第三補強体は、第一、第二補強体に対してそれぞれ上下方向移動自在に支持されていることを特徴とする請求項１または２記載の建築用シャッター装置。
【請求項４】
第一補強体と第三補強体とのあいだには、第一補強体に対しては前後方向移動自在で、第三補強体に対しては上下方向移動自在な第一補助補強体が設けられていることを特徴とする請求項１乃至３の何れか１記載の建築用シャッター装置。
【請求項５】
第二補強体と第三補強体とのあいだには、第二補強体に対しては前後方向移動自在で、第三補強体に対しては上下方向移動自在な第二補助補強体が設けられていることを特徴とする請求項１乃至４の何れか１記載の建築用シャッター装置。
【請求項６】
第一補強体は、躯体側に対して前後方向移動自在かつ着脱自在に支持され、第二補強体は、マグサ部側に対して前後方向移動自在かつ着脱自在に支持されていることを特徴とする請求項１乃至５の何れか１記載の建築用シャッター装置。
【発明の詳細な説明】
【技術分野】
【０００１】
本発明は、建築物の出入り口等の開口部に建て付けられる建築用シャッター装置の技術分野に関するものである。
【背景技術】
【０００２】
今日、ビル、マンション等の建築物には、人物や車両等の移動体が前後方向（内外方向）に通過可能な出入口等の開口部が設けられるが、該開口部に、シャッターカーテンを開閉自在に移動せしめることで開口部の開閉をするように構成した建築用シャッター装置を建て付けることがある。このような建築用シャッター装置のなかには、開口部の間口幅（左右幅）が左右に広いところに建て付けることがあり、このような場合には、建築用シャッター装置も間口幅に対応して左右幅広のものとなる。
ところで建築用シャッター装置は、シャッターカーテンが巻装される巻取りドラムの左右両端部を左右の支持ブラケットで支持することになるが、該支持ブラケットは、躯体側に設けられる縦面（縦壁）に前後方向一端部が取付けられる（固定される）一方で、該左右の支持ブラケット間に、躯体側とのあいだに間隙（隙間）を存する状態でマグサ部を設け、該間隙を移動経路（移動空間）として前記巻取りドラムから繰出されるシャッターカーテンが開閉移動をする構成になっている。
このようなマグサ部は、左右両端部については支持ブラケットを介して躯体側に支持できるため強度上の問題が生じない構成にすることはできるが、左右方向中間部については、躯体側に対して前記間隙を存するものであるため、躯体側からの直接的な支持を受けることができず、この結果、どうしても強度的に弱いものになりがちであって、この傾向は間口幅が広いものほど顕著になり、場合によっては、マグサ部の左右方向中間部位が重みにより垂れ下がったものになってしまう惧れがある。
このような建築用シャッター装置において、巻取りドラム等の構成部材が外部から視認される建付け構成となるものがあり、このようなものでは、これら構成部材全体をシャッターケースで覆蓋して外部から視認できないようにする（目隠しする）ことになるが、このような場合のシャッターケースは、外部に露出するものであるため耐久性が要求されることになって強度的に強いものとなるのが一般的である。そこでこのようなシャッターケースが設けられるものでは、該シャッターケースの上板（天板）から垂設した補強部材を前記マグサ部側に連結するようにし、これによって該マグサ部の補強をするようにしたものが提唱されている（例えば特許文献１参照。）。
ところが建築用シャッター装置のなかには、シャッターカーテンを含めた装置全体の重量が重い重量式の建築用シャッター装置に数多く見受けられるが、巻取りドラムを含めた構成部材を天井内に収容して通常ではこれら構成部材が外部から直接視認できないようにして建て付けるものがあり、このようなものでは前記のようなシャッターケースが必ずしも必要でないため、シャッターケース自体が設けられていないもの（無いもの）、またはシャッターケースが設けられていたとしても、該シャッターケースは、単に巻取りドラムに巻装されたシャッターカーテンを覆蓋する程度の簡易的なものであれば十分であって強度的に弱く、これらのような場合には、前記マグサ部を、強度的に強いシャッターケースを利用して補強する、ということは事実上できないものとなる。
そこでこのようにシャッターケースが設けられていなかったり、設けられていても強度的に弱いものであったりした場合、上端部が躯体側に固定されたコ字形をした補強部材の下端部をマグサ部側に連結することで該マグサ部の補強をするように構成したものが提唱されている（例えば特許文献２参照。）。
【先行技術文献】
【特許文献】
【０００３】
【特許文献１】特開２０１１−１３２７３６号公報
【特許文献２】特開２０１３−２２７８５４号公報
【発明の概要】
【発明が解決しようとする課題】
【０００４】
そして前記特許文献２のように躯体側に支持されるコ字形の補強部材を採用することで、マグサ部について必要な強度を確保できることにはなったが、建築用シャッター装置は、現場（建付け現場）での設置条件が個々に異なることもあり、このため前記補強部材についても、これら設置条件に対応したものを用意することが要求される。
ところで補強部材としては、前記設置条件に対応したものを予め工場にて熔着（溶接）により組立て、これを現場に供給するようにしているが、このようにした場合、工場では現場に対応した数多くの補強部材を製作し、在庫として保管しておく必要があるため、工場での生産管理、在庫管理等の管理が煩雑になるだけでなく、工場での広い保管場所の確保、さらには現場搬送するときに広い荷台スペースの確保が必要になってしまうという問題がある。
また万が一、現場搬送された補強部材の納まり寸法が実際要求されるものと異なっていた場合、補強部材は溶着固定されたものであるため現場での修正ができず、急遽、補強部材を工場に再発注して対応しなければならなくなるが、この場合、補強部材を修正したり発注品が納品されるまでのあいだ建築用シャッター装置の組立て作業が中断され、場合によっては納期に間に合わない等の事態が発生する惧れがある。
この様なことを想定して、補強部材を現場組立てすることが提唱されるが、現場のなかには火気厳禁であって溶接設備を用意できないようなところもあり、また現場では、工場のように正確な寸法出しをする設備も整っていない場合もある等の理由から工場組立てをせざるを得ないのが実情であり、これらに本発明の解決すべき課題がある。
【課題を解決するための手段】
【０００５】
本発明は、上記の如き実情に鑑みこれらの課題を解決することを目的として創作されたものであって、請求項１の発明は、前後方向に通過可能な開口部の開閉をするシャッターカーテンと、該シャッターカーテンの開閉案内をするガイドレールと、前記シャッターカーテンが巻装される巻取りドラムと、該巻取りドラムの左右各端部を支持するべく躯体側に取付けられる左右の支持ブラケットと、巻取りドラムから繰出されるシャッターカーテンの移動を許容するべく躯体側とのあいだに間隙を存する状態で左右支持ブラケット間に設けられるマグサ部とを備えて構成される建築用シャッター装置において、
前記マグサ部を補強するための補強部材を設けるにあたり、
該補強部材は、巻取りドラムの上方に配される状態で基端部が躯体側に支持される第一補強体と、巻取りドラムの下方に配される状態で基端部がマグサ部側に支持される第二補強体と、巻取りドラムの躯体側とは反対側に配される状態で前記第一、第二補強体の先端部に上下端部が前後方向移動自在かつ着脱自在に支持される第三補強体とを備えて構成されていることを特徴とする建築用シャッター装置である。
請求項２の発明は、第一補強体は躯体側に対して前後方向移動自在に支持され、第二補強体はマグサ部側に対して前後方向移動自在に支持されていることを特徴とする請求項１記載の建築用シャッター装置である。
請求項３の発明は、第三補強体は、第一、第二補強体に対してそれぞれ上下方向移動自在に支持されていることを特徴とする請求項１または２記載の建築用シャッター装置である。
請求項４の発明は、第一補強体と第三補強体とのあいだには、第一補強体に対しては前後方向移動自在で、第三補強体に対しては上下方向移動自在な第一補助補強体が設けられていることを特徴とする請求項１乃至３の何れか１記載の建築用シャッター装置である。
請求項５の発明は、第二補強体と第三補強体とのあいだには、第二補強体に対しては前後方向移動自在で、第三補強体に対しては上下方向移動自在な第二補助補強体が設けられていることを特徴とする請求項１乃至４の何れか１記載の建築用シャッター装置である。
請求項６の発明は、第一補強体は、躯体側に対して前後方向移動自在かつ着脱自在に支持され、第二補強体は、マグサ部側に対して前後方向移動自在かつ着脱自在に支持されていることを特徴とする請求項１乃至５の何れか１記載の建築用シャッター装置である。
【発明の効果】
【０００６】
請求項１の発明とすることにより、マグサ部を補強するための補強部材が、巻取りドラムの上方に配される第一補強体、下方に配される第二補強体に対し、巻取りドラムの躯体側とは反対側に配される第三補強体が前後方向移動自在に支持されることになる結果、マグサ部の躯体側からの設置位置に対応しての補強部材の現場組付けが簡単にできることになる。
請求項２の発明とすることにより、第一、第二補強体についても、前後方向の取付け位置の調節が現場でできることになって補強部材組付けの自由度が向上する。
請求項３の発明とすることにより、第三補強体の第一、第二補強体に対する上下位置の調節ができることになって補強部材組付けの自由度が向上する。
請求項４の発明とすることにより、第一、第三補強体とのあいだの強度が、第一補助補強体により向上することになる。
請求項５の発明とすることにより、第二、第三補強体とのあいだの強度が、第二補助補強体により向上することになる。
請求項６の発明とすることにより、第一補強体の躯体側に対する取付けの自由度、第二補強体のマグサ部に対する取付けの自由度が向上する。
【図面の簡単な説明】
【０００７】
【図１】建築用シャッター装置の全体正面図である。
【図２】建築用シャッター装置の全体側面図である。
【図３】建築用シャッター装置の全体平面図である。
【図４】建築用シャッター装置の要部側面図である。
【図５】補強部材の正面図である。
【図６】補強部材の平面図である。
【発明を実施するための形態】
【０００８】
以下、本発明の実施の形態について、図面に基づいて説明する。図面において、１はビル、マンション等の建築物の出入口等の開口部に建て付けられる建築用のシャッター装置であって、該シャッター装置１は、本実施の形態のものは重量式であるが、開口部の左右両側部に設けられるガイドレール２と、該ガイドレール２に昇降案内されることで開口部の開閉移動をするシャッターカーテン３と、天井板Ｈの上方空間（天井部空間）Ｓに配設（内装）されていて、前記シャッターカーテン２が巻装される巻取りドラム４と、該巻取りドラム４の左右各端部を支持する前後方向一端縁部が躯体側の縦壁Ｗに支持される左右一対の支持ブラケット５、６と、前記巻取りドラム４の開閉駆動をするべくチエン伝動機構７を介して巻取りドラム４側の入力ギア４ａと出力軸８ａに設けた出力ギア８ｂとが連動連結される電動式の開閉機８と、該電動機８の駆動制御をするための制御部９とを備えていること等の一般的構成は何れも従来通りである。
【０００９】
前記支持ブラケット５、６は四角板形状をし、上下両端縁部には左右方向外方に向けて折曲する折曲片５ａ、５ｂ、６ａ、６ｂがそれぞれ形成されている。また支持ブラケット５、６の後端縁部（本実施の形態では、建築用シャッター装置が建て付けられる躯体縦壁Ｗを正面視したときに、「前側」を躯体縦壁Ｗから手前側に離間する側、「後側」を躯体縦壁Ｗに近接する側として便宜上「前後」の定義をするが、これに限定されるものではない。）には上下方向に長いＬ字形をしたアングル材５ｃ、６ｃが熔着等の適宜固定手段によって固定されているが、一方の支持ブラケット（本実施の形態では、前記正面視したときの図１において右側の支持ブラケット）５の左右方向外側面に固着されるアングル材５ｃの左右方向外方に向いた辺部と、他方の支持ブラケット６の左右方向内側面に固着されたアングル材６ｃの左右方向内方に向いた辺部とがそれぞれボルト（アンカーボルト）１０を介して縦壁Ｗに固定されており、このようにして左右各支持ブラケット５、６が躯体に取付け支持されている。
【００１０】
さらに前記左右の支持ブラケット５、６のうち、一方の支持ブラケット（本実施の形態では、建築用シャッター装置１を正面視したときの図１において右側の支持ブラケット）５は、他方の支持ブラケット６に対して前側に向けて少し長くなるよう延出形成され、該延出部位に前記開閉機８が取付けられている。
【００１１】
また、左右の支持ブラケット５、６間には、ガイドレール２の上端部前後両側に位置する状態で前後方向に間隙（隙間、空間（マグサ空間））Ｍを存する状態で前後（内外）一対のマグサ材１１、１２が設けられているが、本実施の形態のものは該マグサ材１１、１２に前記天井板Ｈが設けられた構成になっている。そして巻取りドラム４から繰出されるシャッターカーテン３は、該前後一対のマグサ材１１、１２間の間隙Ｍを移動経路として上下方向に移動（通過）するようになっており、シャッターカーテン３が全開した場合に、シャッターカーテン３の最下端に設けられる座板（座板スラット）３ａがマグサ材１１、１２位置に略位置する設定になっている。
【００１２】
因みに、前記マグサ材１１、１２のうち、間隙Ｍに対して躯体側（間隙Ｍの後側）に配される一方のマグサ材１１を「外マグサ」、躯体とは反対側（間隙Ｍの前側）に配される他方のマグサ材１２を「内マグサ」と称することがある。
そして前記他方のマグサ材１２は、左右支持ブラケット５、６に架け渡されるようにして設けた角パイプ（マグサ受け）１４、連結材１５に連結されることで補強されており、このようにして本実施の形態では、本発明のマグサ部Ｘに相当するものが構成されている。
尚、図中、２ａはガイドレール２の上端部に形成されるシャッターカーテン３の呑み込みガイド、１６は前記支持ブラケット５、６の大きさ（外形）内に納まる状態で、巻取りドラム４に巻装された最大径のシャッターカーテン３を囲撓するようにして設けられる略半円弧筒形状をしたシャッターケース、１８はシャッターカーテン３の左右方向中間部位を案内するべく角パイプ１４に支持されるスムーサーローラ、１９はシャッターカーテン３の巻取り異常があったことを検知するべく図示しない検知スイッチに設けられる検知バーである。
【００１３】
１７は前記マグサ部Ｘの左右方向中間部を補強するための補強部材であって、該補強部材１７は、巻取りドラム４の上方に配されていて前後方向に長く基端部（後端部）が躯体側に支持される第一補強体１７ａと、該巻取りドラム４の下方に配されていて前後方向に長く基端部（後端部）がマグサ部Ｘ側に支持される第二補強体１７ｂと、巻取りドラム４の躯体側とは反対側（前側）に配される状態で上下両端部が前記第一、第二補強体１７ａ、１７ｂの先端部（前端部）に支持される第三補強体１７ｃとを備えることで側面視コ字形に構成されている。尚、補強部材１７は、マグサ部Ｘの補強をするにあたり、左右方向中央位置を含めて、該中央位置から左右方向に位置ずれした適宜の中間位置の少なくとも１か所の補強をすることができるものであれば足り、補強位置、補強数については必要において適宜の選択実施ができるものである。
【００１４】
前記第一、第二補強体１７ａ、１７ｂは、本実施の形態ではそれぞれ左右一対の杆状体により構成されているが、第一補強体１７ａは、躯体縦壁Ｗにボルト２７ａを介して固定した基材２７に支持した第一支持具２０に前後方向移動自在に支持されている。本実施の形態において具体的には、第一支持具２０は、前後方向に長く基端部が躯体縦壁Ｗに固定支持される雌螺子体で構成され、該第一支持具２０に、雄螺子体で構成される第一補強体１７ａの基端部を前後方向移動自在に螺入できる構成になっており、そして、第一補強体１７ａは、第一支持具２０に対して所望位置まで螺入（挿入）した状態で該第一支持具２０の側面部から螺入する固定用のビス２０ａの緊締により前記所望位置での躯体側に対する固定支持ができるようになっている。
この構成については第二補強体１７ｂについても同様であって、該第二補強体１７ｂは、マグサ部Ｘの構成部材である角パイプ１４に基端部を固定支持した第二支持具２１に対して前後移動自在に螺入し、そして所望位置まで螺入した状態で第二支持具２１の側面から螺入する固定用のビス２１ａの緊締により、該所望位置での第二補強体１７ｂのマグサ部Ｘ側に対する固定支持ができるようになっている。
【００１５】
一方、前記第三補強体１７ｃは、上下方向に長い雄螺子体によって構成されるものであるが、第三補強体１７ｃの上下両端部は、Ｌ字形をした第一、第二の連結体（連結金具）２２、２３の板面が前後および左右方向に展開する一片２２ａ、２３ａに対して上下方向移動自在に貫通している。そして第一、第二連結体２２、２３は、該一片２２ａ、２３ａを上下に挟む状態で第三補強体１７ｃに螺入した上下一対のナット２２ｃ、２２ｄおよび２３ｃ、２３ｄの上下移動調節および緊締により上下方向移動自在でかつ所望位置での固定支持ができるようになっている。
【００１６】
さらに第一、第二連結体２２、２３の先端部は、第一、第二連結体２２、２３の板面が上下および左右方向に展開する他片２２ｂ、２３ｂに対して、前記第三補強体１７ｃの貫通位置（支持位置）を左右に挟む状態で前後方向移動自在に貫通している。そして第一、第二連結体２２、２３は、該他片２２ｂ、２３ｂを前後に挟む状態で第三補強体１７ｃに螺入した前後一対のナット２２ｅ、２２ｆおよび２３ｅ、２３ｆの前後移動調節および緊締により前後方向移動自在でかつ所望位置での固定支持ができるようになっている。
【００１７】
そして補強部材１７は、建築用シャッター装置１の建付け現場において、まず第一、第二補強体１７ａ、１７ｂを前述したように躯体側、マグサ側に固定支持した状態で、該第一、第二補強体１７ａ、１７ｂの先端部に、第三補強体１７ｃの上下各端部を第一、第二連結体２２、２３を介して連結取付けすることで簡単に組付けることができ、これによってマグサ部Ｘの左右方向中間部位を、補強部材１７によって補強することができるが、さらにこのものでは、補強部材１７自体が後述する複数の補助補強体によってさらに補強されている。
【００１８】
２４は第一補助補強体であって、該第一補助補強体２４は、第一補強体１７ａと第三補強体１７ｃとのあいだに筋かい状（傾斜状）に設けられることで両補強体１７ａ、１７ｃ同士を補強するものであるが、上下両端部には、第一、第三補強体１７ａ、１７ｃの螺子溝が前後方向、上下方向移動自在に螺入する雌螺子部が形成された上下の連結部２４ａ、２４ｂが設けられており、これら連結部２４ａ、２４ｂの位置調節がなされたら、連結部２４ａ、２４ｂから螺入するビス２４ｃにより固定支持できるようになっている。
一方、２５は第二補助補強体であって、該第二補助補強体２５は、第二補強体１７ｂと第三補強体１７ｃとのあいだに筋かい状（傾斜状）に設けられることで両補強体１７ｂ、１７ｃ同士を補強するものであるが、上下両端部には、第二、第三補強体１７ｂ、１７ｃの螺子溝が上下方向、前後方向移動自在に螺入する雌螺子部が形成された上下の連結部２５ｂ、２５ａが設けられており、これら連結部２５ａ、２５ｂの位置調節がなされたら、連結部２５ａ、２５ｂから螺入するビス２５ｃにより固定支持できるようになっている。
【００１９】
さらに２６は第三補助補強体であって、該第三補助補強体２６は、第一補強体１７ａと躯体縦壁Ｗとのあいだに筋かい状（傾斜状）に設けられることで第一補強体１７ａの補強をするものであるが、第三補助補強体２６の基端部（後端部）は、前記躯体縦壁Ｗに固定される基材２７の上端部に連結（例えば溶着により）される一方、先端部（前端部）には、第一補強体１７ａに前後方向移動自在に螺入する連結部２６ｂが連結（例えば溶着により）されている。そして第三補助補強体２６は、前記第一支持具２０に支持された第一補強体１７ａに対して連結部２６ｂを位置調節する状態で組み付けることができるようになっている。
尚、本実施の形態では、基材２７の下端部に前記第一支持具２０が固定支持されている。また２８は左右支持ブラケット５、６の先端部と躯体縦壁Ｗとのあいだに設けられる補強材である。
【００２０】
叙述の如く構成された本実施の形態において、躯体縦壁Ｗに対して間隙を存するようにして設けられるマグサ部Ｘを補強するための補強部材１７は、第一、第二、第三の補強体１７ａ、１７ｂ、１７ｃを用いて組立てられることになるが、巻取りドラム４の上方に配される第一補強体１７ａ、下方に配される第二補強体１７ｂに対し、巻取りドラム４の前方に配される第三補強体１７ｃが前後方向移動自在でかつ着脱自在に支持されることになる結果、マグサ部Ｘに対応した補強部材１７を現場において組付けることが簡単にできることになって、個々の現場に対応した多数の補強部材をいちいち工場において製造し、保管する等の必要がなくなることになる。
【００２１】
そのうえこの場合に、第一補強体１７ｃについては躯体側に設けた第一支持具２０に対して前後方向移動自在に支持され、第二補強体１７ｂについてはマグサ部Ｘ側に設けた第二支持具２１に対して前後方向移動自在に支持され、第三補強体１７ｃについては第一、第二補強体１７ａ、１７ｂに対して上下方向移動自在に支持されるものであるため、補強部材１７の組付け性の自由度が向上し、現場での組付け性が向上することになる。
しかもこの場合に、第一、第二補強体１７ａ、１７ｂは、躯体側、マグサ部左側に対して着脱自在になっているため、これら第一、第二補強体１７ａ、１７ｂを現場にて組付けることができ組付け性の向上がさらに図れることにになる。
【００２２】
またこのものにおいて、第一、第三補強体１７ａ、１７ｃは第一補助補強体２４によって、第二、第三補強体１７ｂ、１７ｃは第二補助補強体２５によってそれぞれ補強される結果、補強部材１７がコ字形をしたものであっても十分な強度を確保できることになるが、これら第一、第二補助補強体２４、２５についても、対応する補強体１７ａ、１７ｂまたは１７ｃに対して移動自在であるため、取付けの自由度が向上し、組付け性の向上が達成できる。
さらに第一補強体１７ａについては、躯体側に対して第三補助補強体２６を介して補強されるため、補強部材１７の強度確保に大いに寄与できることになるが、この第三補助補強体２６も前後方向移動自在に取付けられるため、取付けの自由度が達成できる。
【００２３】
尚、本発明は前記実施の形態のものに限定されないものであることは勿論であって、各部位同士の位置移動自在な取付けについては、例えば第一補強体１７ａの第一支持具２０に対するもののように螺子方式のもの、第一補強体１７ａの第一連結体２２に対するもののように貫通方式のもの等、適宜のものを採用することができ、また位置調節されたもの同士の固定については、第一連結体１７ａを第一支持具２０に固定する場合のように螺子固定をするもの、第一補強体１７ａを第一連結具２２に固定する場合のようにナット（ダブルナットも含む）によるもの、固定ピンを貫通するもの等、適宜のものを採用できることは言うまでもない。
【産業上の利用可能性】
【００２４】
本発明は、建築物の出入り口等の開口部に建て付けられる建築用シャッター装として利用することができる。
【符号の説明】
【００２５】
１  建築用シャッター装置
２  ガイドレール
３  シャッターカーテン
４  巻取りドラム
５  支持ブラケット
６  支持ブラケット
１７  補強部材
１７ａ  第一補強体
１７ｂ  第二補強体
１７ｃ  第三補強体
２０  第一支持具
２１  第二支持具
２２  第一連結具
２３  第二連結具
２４  第一補助補強体
２５  第二補助補強体
２６  第三補助補強体
Ｍ  間隙
Ｘ  マグサ部
Ｗ  縦壁
【図１】
2019206841.tif 000003
【図２】
2019206841.tif 000004
【図３】
2019206841.tif 000005
【図４】
2019206841.tif 000006
【図５】
2019206841.tif 000007
【図６】
2019206841.tif 000008